(57)【要約】【課題】断熱パネル間の横目地の隙間の大きさを更に低減した外断熱壁構造およびその製造方法を提供する。【解決手段】建築物の下地壁の前面に馬目地貼り又は芋目地貼りされた断熱パネルを備える外断熱壁構造であって、断熱パネルは、走行する面材上に吐出した発泡性樹脂組成物を発泡および硬化させて形成した発泡体を有し、発泡体の走行方向に対応する方向と、縦目地の方向とが平行である、外断熱壁構造。また、建築物の下地壁の前面に断熱パネルを馬目地貼り又は芋目地貼りする工程（Ａ）を含む外断熱壁構造の製造方法であって、断熱パネルは、走行する面材上に吐出した発泡性樹脂組成物を発泡および硬化させて形成した発泡体を有し、工程（Ａ）では、発泡体の走行方向に対応する方向と、縦目地の方向とが平行になるように断熱パネルを下地壁に貼り付ける、外断熱壁構造の製造方法。【選択図】図２
2018025092.tif 000002
【特許請求の範囲】
【請求項１】
建築物の下地壁の前面に馬目地貼り又は芋目地貼りされた断熱パネルを備える外断熱壁構造であって、
前記断熱パネルは、走行する面材上に吐出した発泡性樹脂組成物を発泡および硬化させて形成した発泡体を有し、
前記発泡体の走行方向に対応する方向と、縦目地の方向とが平行である、外断熱壁構造。
【請求項２】
前記断熱パネルは、横目地と平行な方向の寸法が８００ｍｍ以上１１００ｍｍ以下であり、且つ、縦目地と平行な方向の寸法が１１００ｍｍよりも小さい、請求項１に記載の外断熱壁構造。
【請求項３】
建築物の下地壁の前面に断熱パネルを馬目地貼り又は芋目地貼りする工程（Ａ）を含む外断熱壁構造の製造方法であって、
前記断熱パネルは、走行する面材上に吐出した発泡性樹脂組成物を発泡および硬化させて形成した発泡体を有し、
前記工程（Ａ）では、前記発泡体の走行方向に対応する方向と、縦目地の方向とが平行になるように断熱パネルを前記下地壁に貼り付ける、外断熱壁構造の製造方法。
【請求項４】
前記断熱パネルを準備する工程（Ｂ）を更に含み、
前記工程（Ｂ）は、走行する面材上に連続的に吐出した発泡性樹脂組成物を発泡および硬化させて形成した長尺の発泡体を前記走行方向に直交する方向に裁断する工程を含む、請求項３に記載の外断熱壁構造の製造方法。
【請求項５】
前記断熱パネルを準備する工程（Ｂ）を更に含み、
前記工程（Ｂ）は、走行する面材上に連続的に吐出した発泡性樹脂組成物を発泡および硬化させて形成した長尺の発泡体を前記走行方向に直交する方向に裁断して余長を含む長さの仮断熱パネルを形成し、前記仮断熱パネルを常温において養生保管した後、前記仮断熱パネルを前記走行方向に直交する方向に裁断する工程を含む、請求項３に記載の外断熱壁構造の製造方法。
【発明の詳細な説明】
【技術分野】
【０００１】
本発明は、建築物の外断熱壁構造および外断熱壁構造の製造方法に関する。
【背景技術】
【０００２】
従来、建築物の断熱性能を高める手段の一つとして、建築物の下地壁の前面に断熱パネルを貼り付け、該断熱パネルの外表面側にモルタル等の湿式塗り仕上げを施してなる外断熱壁構造が知られている。そして、外断熱壁構造の断熱パネルとしては、フェノール樹脂発泡体などの熱硬化性樹脂発泡体を用いた断熱パネルが用いられている（例えば、特許文献１参照）。
【０００３】
ここで、熱硬化性樹脂発泡体を用いた断熱パネルは、一般に、ラミネートボード発泡法を用いて連続的に製造した長尺の板状発泡体を所望の寸法に裁断して製造されている。
【０００４】
また、外断熱壁構造は、下地壁の前面に馬目地貼り又は芋目地貼りした断熱パネルの外表面に、任意に補強材等を介して、湿式塗り仕上げを施すことにより製造されている。なお、「馬目地貼り」とは、縦目地の位置を上下の段で揃えない貼り方を指し、「芋目地貼り」とは、縦目地の位置を上下の段で揃える貼り方を指す。
【先行技術文献】
【特許文献】
【０００５】
【特許文献１】特開２００７−１４６４００号公報
【発明の概要】
【発明が解決しようとする課題】
【０００６】
しかし、上記従来の外断熱壁構造では、施工時に下の段の断熱パネルと上の段の断熱パネルとの間の継ぎ目（横目地）の位置が水平方向に揃わず、横目地の隙間が大きくなることがあった。
【０００７】
そこで、本発明は、断熱パネル間の横目地の隙間の大きさを更に低減した外断熱壁構造およびその製造方法を提供することを目的とする。
【課題を解決するための手段】
【０００８】
すなわち、本発明は以下の［１］〜［４］を提供する。
【０００９】
［１］建築物の下地壁の前面に馬目地貼り又は芋目地貼りされた断熱パネルを備える外断熱壁構造であって、前記断熱パネルは、走行する面材上に吐出した発泡性樹脂組成物を発泡および硬化させて形成した発泡体を有し、前記発泡体の走行方向に対応する方向と、縦目地の方向とが平行である、外断熱壁構造。
［２］前記断熱パネルは、横目地と平行な方向の寸法が８００ｍｍ以上１１００ｍｍ以下であり、且つ、縦目地と平行な方向の寸法が１１００ｍｍよりも小さい、［１］に記載の外断熱壁構造。
［３］建築物の下地壁の前面に断熱パネルを馬目地貼り又は芋目地貼りする工程（Ａ）を含む外断熱壁構造の製造方法であって、前記断熱パネルは、走行する面材上に吐出した発泡性樹脂組成物を発泡および硬化させて形成した発泡体を有し、前記工程（Ａ）では、前記発泡体の走行方向に対応する方向と、縦目地の方向とが平行になるように断熱パネルを前記下地壁に貼り付ける、外断熱壁構造の製造方法。
［４］前記断熱パネルを準備する工程（Ｂ）を更に含み、前記工程（Ｂ）は、走行する面材上に連続的に吐出した発泡性樹脂組成物を発泡および硬化させて形成した長尺の発泡体を前記走行方向に直交する方向に裁断する工程を含む、［３］に記載の外断熱壁構造の製造方法。
［５］前記断熱パネルを準備する工程（Ｂ）を更に含み、前記工程（Ｂ）は、走行する面材上に連続的に吐出した発泡性樹脂組成物を発泡および硬化させて形成した長尺の発泡体を前記走行方向に直交する方向に裁断して余長を含む長さの仮断熱パネルを形成し、前記仮断熱パネルを常温において養生保管した後、前記仮断熱パネルを前記走行方向に直交する方向に裁断する工程を含む、［３］に記載の外断熱壁構造の製造方法。
なお、本発明において、「発泡体の走行方向に対応する方向」とは、発泡体を形成する際に面材が走行していた方向を指し、例えば、走行する面材上に連続的に吐出した発泡性樹脂組成物を発泡および硬化させて形成した長尺の発泡体を走行方向に直交する方向に裁断して得た発泡体においては、「発泡体の走行方向に対応する方向」とは、切断面に直交する方向を指す。
【発明の効果】
【００１０】
本発明によれば、断熱パネル間の横目地の隙間の大きさを更に低減した外断熱壁構造を提供することができる。
【図面の簡単な説明】
【００１１】
【図１】本発明に係る外断熱壁構造の一例の概略構造を示す一部切欠き斜視図である。
【図２】断熱パネルの貼り方の説明図であり、（ａ）および（ｂ）は馬目地貼りした断熱パネルを示し、（ｃ）は芋目地貼りした断熱パネルを示す。
【図３】本発明に係る外断熱壁構造に使用し得る断熱パネルの製造工程の一例を示す説明図である。
【発明を実施するための形態】
【００１２】
以下、本発明について、実施形態に則して詳細に説明する。なお、本発明は、以下の実施形態に限定されるものではなく、その要旨の範囲内で種々変形して実施できる。
【００１３】
（外断熱壁構造）
ここで、本発明に係る外断熱壁構造は、建築物の下地壁の前面側に設けられて建築物の断熱性能を高めるものである。そして、本発明に係る外断熱壁構造は、特に限定されることなく、例えば図１に示すような構成を有している。
【００１４】
具体的には、図１に示す外断熱壁構造は、家などの建築物の内装８および柱７の外側に設けられた下地壁６の前面に接着剤５を介して馬目地貼り又は芋目地貼りされた断熱パネル１と、断熱パネル１の前面に設けられた下地層２および補強材３と、外断熱壁構造の外表面を構成する塗り仕上げ層４とを備えている。
【００１５】
そして、図１に示す外断熱壁構造は、下地壁６の前面に馬目地貼り又は芋目地貼りされる断熱パネル１として、走行する面材上に吐出した発泡性樹脂組成物を発泡および硬化させて形成した発泡体を有する断熱パネルを使用し、且つ、断熱パネル１を、発泡体の走行方向に対応する方向と縦目地の方向とが平行になるように配置することを特徴とする。
このように、発泡体の走行方向に対応する方向と縦目地の方向とが平行になるように断熱パネル１を配設すれば、施工時に下の段の断熱パネル１と上の段の断熱パネル１との間の継ぎ目（横目地）の位置を水平方向に揃え、横目地の隙間を小さくすることができる。この理由は、明らかではないが、走行する面材上に吐出した発泡性樹脂組成物を発泡および硬化させて形成した発泡体を有する断熱パネルは、走行方向に対応する方向に面的に直交する方向の寸法安定性に比べ、走行方向に対応する方向の寸法安定性が高いためであると推察される。
【００１６】
ここで、下地壁６としては、特に限定されることなく、ラスモルタル壁、鉄筋コンクリート壁、軽量気泡コンクリート壁、サイディング壁などの既知の材料からなる壁を用いることができる。
【００１７】
また、下地壁６に断熱パネル１を貼り付けるための接着剤５としては、モルタルや既知の建築用接着剤を用いることができる。なお、接着剤５は、下地壁６の全面に塗布する必要はなく、下地壁６に断熱パネル１を貼り付け可能であれば、下地壁６の一部のみに塗布してもよい。
【００１８】
断熱パネル１としては、走行する面材上に吐出した発泡性樹脂組成物を発泡および硬化させて形成した発泡体を有するものであれば、任意の断熱パネルを用いることができる。具体的には、断熱パネル１としては、発泡体１ａの少なくとも一方の表面（図１に示す例では両面）に面材１ｂが積層一体化されてなる断熱パネルを用いることができる。
なお、断熱パネル１としては、面材１ｂを有さない、発泡体１ａのみからなる断熱パネルを用いてもよい。そして、発泡体のみからなる断熱パネルは、走行する面材上に吐出した発泡性樹脂組成物を発泡および硬化させて形成した発泡体から面材を剥離することにより得られる。また、断熱パネル１としては、発泡体１ａの両側の表面に面材１ｂが積層一体化されていない断熱パネルを用いることも可能である。
【００１９】
ここで、断熱パネル１の発泡体１ａとしては、フェノールフォーム、ウレタンフォームなどの断熱材として使用し得る既知の発泡体を用いることができる。中でも、難燃性に優れる点から、発泡体１ａとしては、フェノールフォームを用いることが好ましい。
【００２０】
また、断熱パネル１の面材１ｂとしては、不織布、織布、紙類、金属箔などの既知の面材を用いることができる。
【００２１】
そして、断熱パネル１は、下地壁６の前面に馬目地貼り又は芋目地貼りされる。ここで、馬目地貼りとは、図２（ａ）および（ｂ）に示すような、下の段の断熱パネル１と上の段の断熱パネル１との継ぎ目である横目地１０Ａを水平方向Ｘに沿って延在させ、且つ、水平方向Ｘに隣接する断熱パネル１間の継ぎ目である縦目地１０Ｂの位置を上下の段で揃えない貼り方である。また、芋目地貼りとは、図２（ｃ）に示すような、横目地１０Ａを水平方向Ｘに沿って延在させ、且つ、縦目地１０Ａの位置を上下の段で揃える貼り方である。
【００２２】
また、断熱パネル１は、発泡体１ａの走行方向に対応する方向が縦目地１０Ｂの方向と平行になるように下地壁６に貼り付けられる。具体的には、図２に示す例では、発泡体１ａの走行方向に対応する方向が鉛直方向Ｙとなるように下地壁６に貼り付けられる。
なお、発泡体１ａの走行方向に対応する方向は、例えば、マルチポート分配管などの複数の吐出口が並設された吐出装置から発泡性樹脂組成物を面材上に吐出して発泡体を形成した場合に発泡体に発生する、走行方向に延在する溝またはスジの位置や、発泡体の全体の色調、模様および物性の変動等を考慮して判断することができる。具体的には、マルチポート分配管などの複数の吐出口が並設された吐出装置を使用した場合には、発泡体の表面近傍において、走行方向に対応する方向に直交する方向に、吐出口の配設ピッチに応じて発泡体の密度の粗密が生じることを考慮して走行方向に対応する方向を判断することができる。また、面材を剥がして発泡体の曲げ強度を測定した場合に、走行方向に対応する方向を曲げスパンとした場合の曲げ強度に対して、走行方向に対応する方向に直交する方向を曲げスパンとした場合の曲げ強度が小さくなることを考慮して走行方向に対応する方向を判断することができる。
【００２３】
ここで、図２では縦目地１０Ｂと平行な方向の寸法が横目地１０Ａと平行な方向の寸法よりも小さい断熱パネル１を馬目地貼り又は芋目地貼りした場合を示したが、馬目地貼り又は芋目地貼りされる断熱パネル１は、縦目地１０Ｂと平行な方向の寸法が横目地１０Ａと平行な方向の寸法以上であってもよい。
但し、施工時のハンドリング性を高めつつ横目地の隙間を更に小さくする観点からは、断熱パネル１は、縦目地１０Ｂと平行な方向の寸法が１１００ｍｍ未満であることが好ましく、横目地１０Ａと平行な方向の寸法よりも小さいことがより好ましい。そして、断熱パネル１の横目地１０Ａと平行な方向の寸法は、８００ｍｍ以上１１００ｍｍ以下であることが好ましく、９００ｍｍ以上１０００ｍｍ以下であることがより好ましい。
【００２４】
また、下地層２としては、特に限定されることなく、モルタルなどの既知の下地材を用いて形成した層を用いることができ、補強材３としては、特に限定されることなく、耐アルカリ性ガラス繊維、アラミド繊維、ビニロン繊維等を用いて形成した補強メッシュ等を用いることができる。そして、下地層２および補強材３は、馬目地貼り又は芋目地貼りされた断熱パネル１の外表面に補強材３を介して下地材を塗りつけることにより、断熱パネル１の前面に設けることができる。
【００２５】
更に、塗り仕上げ層４としては、特に限定されることなく、モルタルや塗料などの既知の仕上げ材を湿式塗り仕上げしてなる層等が挙げられる。
【００２６】
（外断熱壁構造の製造方法）
そして、上述したような構成を有する外断熱壁構造は、例えば本発明に係る外断熱壁構造の製造方法を用いて製造することができる。
【００２７】
ここで、本発明に係る外断熱壁構造の製造方法は、建築物の下地壁の前面に断熱パネルを馬目地貼り又は芋目地貼りする工程（Ａ）を含み、任意に、工程（Ａ）の前に、断熱パネルを準備する工程（Ｂ）を更に含む。また、本発明に係る外断熱壁構造の製造方法は、任意に、断熱パネルの前面に下地層および補強材を設ける工程（Ｃ）や、外断熱壁構造の外表面を構成する塗り仕上げ層を形成する工程（Ｄ）などを更に含んでいてもよい。
【００２８】
そして、本発明に係る外断熱壁構造の製造方法は、工程（Ａ）で使用する断熱パネルとして、走行する面材上に吐出した発泡性樹脂組成物を発泡および硬化させて形成した発泡体を有する断熱パネルを使用し、且つ、工程（Ａ）において、断熱パネルを、発泡体の走行方向に対応する方向と縦目地の方向とが平行になるように下地壁に貼り付けることを特徴とする。
前述したように、発泡体の走行方向に対応する方向と縦目地の方向とが平行になるように断熱パネルを配設すれば、施工時に下の段の断熱パネルと上の段の断熱パネルとの間の継ぎ目（横目地）の位置を水平方向に揃え、横目地の隙間を小さくすることができる。
【００２９】
ここに、断熱パネルの施工は、下の段から上の段に向かって、順次施工していくことになるが、各段では、例えば、左側の断熱ボードを張り付け、次に右側に断熱ボードを張り付ける場合に、施工済みの左側の断熱ボードに押し付けるように施工すれば、断熱パネルの横目地の方向（発泡体の走行方向に直交する方向）の寸法に多少誤差があっても、継ぎ目（縦目地）の隙間を小さくすることが出来る。しかし、断熱パネルの縦目地の方向（発泡体の走行方向に対応する方向）の寸法に誤差があった場合、横目地が直線状に揃わず、誤差寸法に応じて、凹凸が形成され、上の段を施工する場合に、横目地の隙間が発生することになる。そのような断熱パネルの縦目地の方向の寸法の誤差に依存する横目地の隙間を小さくするため、本発明では、寸法安定性が高い発泡体の走行方向に対応する方向を縦目地の方向に平行になるように下地壁に貼り付けることを特徴としたものである。
【００３０】
ここで、工程（Ｂ）では、ラミネートボード発泡法などの、走行する面材上に吐出した発泡性樹脂組成物を発泡および硬化させて発泡体を形成する既知の発泡方法を使用して断熱パネルを準備することができる。中でも、厚み精度に優れる断熱パネルを効率的に製造する観点からは、工程（Ｂ）では、走行する面材上に連続的に吐出した発泡性樹脂組成物を発泡および硬化させて形成した長尺の発泡体を走行方向に直交する方向に裁断して断熱パネルを準備することが好ましく、ラミネートボード発泡法を用いて形成した長尺の発泡体を走行方向に直交する方向に裁断して断熱パネルを準備することがより好ましい。
【００３１】
なお、発泡性樹脂組成物としては、樹脂成分、発泡剤および硬化剤を含有する既知の発泡性樹脂組成物を用いることができる。また、面材としては、前述した断熱パネル１に使用し得る面材を用いることができる。
【００３２】
また、長尺の発泡体の形成および裁断は、特に限定されることなく、例えば図３に示すような装置を用いて行うことができる。
【００３３】
ここで、図３に示す装置は、スラット型ダブルコンベアを使用し、ラミネートボード発泡法により長尺の発泡体を形成して裁断する装置であり、下部スラットコンベア１１０および上部スラットコンベア１２０を備えるスラット型ダブルコンベアと、加熱炉１３０と、発泡性樹脂組成物の吐出装置１４０と、裁断装置１５０とを備えている。
そして、図３に示す装置では、ロール１６０から供給された下面材１ｂ上に吐出装置１４０から発泡性樹脂組成物が吐出され、下面材１ｂ上に吐出された発泡性樹脂組成物は、走行方向Ｓに搬送されつつロール１６０から供給された上面材１ｂで覆われて加熱炉１３０内の下部スラットコンベア１１０および上部スラットコンベア１２０の間で発泡および硬化させられる。また、発泡性樹脂組成物を発泡および硬化させて得られる長尺の発泡体は、裁断機１５０により走行方向Ｓに直交する方向に裁断されて、発泡体を有する断熱パネル１となる。なお、図３に示す断熱パネル１では、図３の左右方向が走行方向Ｓに対応する方向となる。また、図３に示す装置において、吐出装置１４０としてマルチポート分配管などの複数の吐出口が並設された装置を用いた場合には、前述したように、断熱パネル１の発泡体には、走行方向に延在する溝またはスジが形成されることがある。
【００３４】
また、工程（Ａ）では、発泡体の走行方向に対応する方向が縦目地の方向と平行になるように馬目地貼り又は芋目地貼りする以外は特に限定されることなく、接着剤などの既知の手段を用いて断熱パネルを下地壁に貼り付けることができる。具体的には、工程（Ａ）では、例えば、下側の段から上側の段に向かって、一段ずつ断熱パネルを下地壁に貼りつけることができる。より具体的には、工程（Ａ）では、水平方向に隣接する断熱パネル同士を水平方向に当接させつつ下地壁に貼りつけて下側の段を形成した後、形成された下側の段の上で、水平方向に隣接する断熱パネル同士を水平方向に当接させつつ下地壁に貼りつけて次の段を形成する操作を繰り返すことにより、断熱パネルを馬目地貼り又は芋目地貼りすることができる。
【００３５】
更に、工程（Ｃ）では、特に限定されることなく、馬目地貼り又は芋目地貼りされた断熱パネルの外表面に補強材を介して下地材を塗りつけることにより、断熱パネルの前面に下地層および補強材を設けることができる。
なお、下地材および補強材としては、前述した下地層２および補強材３の形成に使用し得る下地材および補強材を用いることができる。また、工程（Ｃ）は、全ての断熱パネルの貼り付けが終了した後に実施してもよいし、一部の断熱パネルの貼り付けが終了した後に貼りつけられた断熱パネルに対して工程（Ｃ）を実施する作業を繰り返してもよい。
【００３６】
そして、工程（Ｄ）では、特に限定されることなく、例えばモルタルや塗料などの既知の仕上げ材を湿式塗り仕上げすることにより、外断熱壁構造の外表面を構成する塗り仕上げ層を形成することができる。
【実施例】
【００３７】
以下に、実施例及び比較例によって本発明を更に詳細に説明するが、本発明はこれらに限定されるものではない。
【００３８】
（実施例１）
フェノール樹脂１００質量部に対して、発泡剤としてのイソペンタン５０質量％およびイソブタン５０質量％の混合物５．６質量部と、酸性硬化剤としてのキシレンスルホン酸８０質量％およびジエチレングリコール２０質量％の混合物１３質量部とを添加し、発泡性フェノール樹脂組成物を調製した。
そして、図３に示す、スラット型ダブルコンベアを有する装置を使用して断熱パネルを製造した。具体的には、調製した発泡性フェノール樹脂組成物を吐出装置１４０のマルチポート分配管を通して走行するポリエチレンテレフタレート製の面材上に吐出し、吐出された発泡性フェノール樹脂組成物を下部スラットコンベア１１０および上部スラットコンベア１２０の間で発泡および硬化させて、長尺の板状発泡体を得た。そして、得られた長尺の板状発泡体を面材の走行方向Ｓに直交する方向に裁断して、走行方向Ｓに対応する方向の寸法が６００ｍｍ、走行方向Ｓに対応する方向および厚み方向の双方に直交する方向の寸法が９００ｍｍの断熱パネル（面材付き発泡体）を複数製造した。
その後、接着剤としてモルタルを使用し、建築物の下地壁の前面に、上記で得た断熱パネルを走行方向Ｓに対応する方向が縦目地の方向と平行になるように（即ち、横目地と平行な方向の断熱パネルの寸法が９００ｍｍとなるように）、図２（ａ）に示すような形状で馬目地貼りした。
そして、断熱パネルの前面に耐アルカリ性ガラス繊維製の補強メッシュを介して下地モルタルを塗りつけ、更に湿式塗り仕上げを施すことにより、外断熱壁構造を作製した。
なお、断熱パネルの貼り付け後に横目地の隙間の大きさをスキマゲージで測定したところ、隙間の大きなところでも、寸法０．６ｍｍ以内に納まっていた。
【００３９】
（実施例２）
フェノール樹脂１００質量部に対して、発泡剤としてのイソペンタン５０質量％およびイソブタン５０質量％の混合物５．６質量部と、酸性硬化剤としてのキシレンスルホン酸８０質量％およびジエチレングリコール２０質量％の混合物１３質量部とを添加し、発泡性フェノール樹脂組成物を調製した。
そして、図３に示す、スラット型ダブルコンベアを有する装置を使用して断熱パネルを製造した。具体的には、調製した発泡性フェノール樹脂組成物を吐出装置１４０のマルチポート分配管を通して走行するポリエチレンテレフタレート製の面材上に吐出し、吐出された発泡性フェノール樹脂組成物を下部スラットコンベア１１０および上部スラットコンベア１２０の間で発泡および硬化させて、長尺の板状発泡体を得た。そして、得られた長尺の板状発泡体を面材の走行方向Ｓに直交する方向に裁断して、走行方向Ｓに対応する方向の寸法が１８２０ｍｍ、走行方向Ｓに対応する方向および厚み方向の双方に直交する方向の寸法が９００ｍｍの仮断熱パネルを複数製造した。
仮断熱パネルは、複数枚重ねた状態で、常温に管理された倉庫に、１ヶ月間、養生保管された後、走行方向Ｓに対応する方向の寸法が６００ｍｍ、走行方向Ｓに対応する方向および厚み方向の双方に直交する方向の寸法が９００ｍｍの断熱パネル（面材付き発泡体）に裁断して、断熱パネル（面材付き発泡体）を複数製造した。
その後、接着剤としてモルタルを使用し、建築物の下地壁の前面に、上記で得た断熱パネルを走行方向Ｓに対応する方向が縦目地の方向と平行になるように（即ち、横目地と平行な方向の断熱パネルの寸法が９００ｍｍとなるように）、図２（ａ）に示すような形状で馬目地貼りした。
そして、断熱パネルの前面に耐アルカリ性ガラス繊維製の補強メッシュを介して下地モルタルを塗りつけ、更に湿式塗り仕上げを施すことにより、外断熱壁構造を作製した。
なお、断熱パネルの貼り付け後に横目地の隙間の大きさをスキマゲージで測定したところ、隙間の大きなところでも、寸法０．３ｍｍ以内に納まっていた。
【００４０】
（比較例１）
断熱パネルの製造時に、得られた長尺の板状発泡体を、走行方向Ｓに対応する方向の寸法が９００ｍｍ、走行方向Ｓに対応する方向および厚み方向の双方に直交する方向の寸法が６００ｍｍとなるように裁断して断熱パネル（面材付き発泡体）を複数製造し、得られた断熱パネルを、走行方向Ｓに対応する方向が横目地の方向と平行になるように（即ち、横目地と平行な方向の断熱パネルの寸法が９００ｍｍとなるように）、図２（ａ）に示すような形状で馬目地貼りした以外は実施例１と同様にして、外断熱壁構造を作製した。
なお、断熱パネルの貼り付け後に横目地の隙間の大きさをスキマゲージで測定したところ、隙間の大きなところで、寸法２．２ｍｍの隙間が確認され、実施例１、実施例２よりも大きかった。
【産業上の利用可能性】
【００４１】
本発明によれば、断熱パネル間の横目地の隙間の大きさを更に低減した外断熱壁構造を提供することができる。
【符号の説明】
【００４２】
１  断熱パネル
１ａ  発泡体
１ｂ  面材
２  下地層
３  補強材
４  塗り仕上げ層
５  接着剤
６  下地壁
７  柱
８  内装
１０Ａ  横目地
１０Ｂ  縦目地
１１０  下部スラットコンベア
１２０  上部スラットコンベア
１３０  加熱炉
１４０  吐出装置
１５０  裁断装置
１６０  ロール
【図１】
2018025092.tif 000003
【図２】
2018025092.tif 000004
【図３】
2018025092.tif 000005